(57)【要約】【課題】  床材分離型の床暖房装置の配線構造において、配線コードを床下（根太下）に引き出すことなく、簡便に配置、接続し得る床暖房装置の配線構造及びこれに使用可能な床暖房パネルを提供する。【解決手段】  床暖房パネル１と、電力を供給する配線２と、床暖房パネル１の端縁部３に形成したスイッチボックス部４と、スイッチボックス部４に臨んで配置される周辺パネル５とを有し、複数の前記床暖房パネル１を並列配置するとともに、同床暖房パネル１をスイッチボックス部４を介して配線２に並列接続した床暖房装置の配線構造において、配線２が、スイッチボックス部４を形成した端縁部３と、周辺パネル５とによって挟持されるので、配線２を床下に引き出すことなく、簡便にパネル（床暖房パネル１、周辺パネル５等）の配置、配線２の接続が可能となり、施工の省力化にも寄与し得ることとなる。【選択図】図１
2006118746.tif 000002
【特許請求の範囲】
【請求項１】
床暖房パネルと、電力を供給する配線と、前記床暖房パネルの端縁部に形成したスイッチボックス部と、前記スイッチボックス部に臨んで配置される周辺パネルとを有し、複数の前記床暖房パネルを並列配置するとともに、同床暖房パネルを前記スイッチボックス部を介して前記配線に並列接続した床暖房装置の配線構造において、前記配線が、前記スイッチボックス部を形成した前記端縁部と、前記周辺パネルとによって挟持されることを特徴とする床暖房装置の配線構造。
【請求項２】
前記配線が、並列配置された前記床暖房パネル間に挟持されることを特徴とする請求項１記載の床暖房装置の配線構造。
【請求項３】
前記スイッチボックス部が、前記端縁部に形成した凹部と、該凹部内に前記配線を接続し得る床暖房パネル側接続端子を備え、前記配線の屈曲部を前記凹部内に収容し得ることを特徴とする請求項１または請求項２記載の床暖房装置の配線構造。
【請求項４】
端縁部にスイッチボックス部を備え、該スイッチボックス部を介して電力を供給する配線に接続し得る床暖房パネルであって、前記スイッチボックス部が、前記端縁部に形成した凹部と、該凹部内に前記配線を接続し得る床暖房パネル側接続端子を具備し、前記配線の屈曲部を前記凹部内に収容し得ることを特徴とする床暖房パネル。
【発明の詳細な説明】
【技術分野】
【０００１】
本発明は、床材分離型の床暖房装置の配線構造及びこれに使用可能な床暖房パネルに関するものである。
【背景技術】
【０００２】
従来、床材（床仕上げ材）分離型の床暖房装置の配線構造としては、例えば、以下のようなものが一般的に行われている。
（１）床暖房パネルから電線を引出し、別途スイッチボックス等を使用し、パネル間接続をする〔床暖房パネルから出てくる電線は機器外配線可能な仕様の２重シース電線である。〕（図４参照）。
（２）床暖房パネル内にスイッチボックス部分を設け、床暖房パネル間をＶＶＦケーブル等で接続する（図５参照）。
（３）床暖房パネル内にボックス部分と電線配置溝を設け、機器内配線として接続する。
【０００３】
しかし、上記（１）、（２）の配線構造においては、床暖房パネル等の設置の障害にならないように、電線を必ず根太下を通した上で、根太上の床暖房パネルと接続しなければならないという問題があった。
【０００４】
さらに、これに加えて、電線およびスイッチボックスが容易に動かないように、根太等の造営材等に固定、設置することが必要とされ、また、この際、電線等が垂れて床面に接しないように配慮する必要もあり、実際の電気工事としては、かなり作業量も多く、施工の省力化が求められていた。
【０００５】
一方、上記（３）の配線構造は、例えば、特開昭５９−５６６３８号公報、特開平６−３０２９３号公報等に開示されているが、上記（１）、（２）の配線構造と比較して、床暖房パネル自体の構造が複雑になり、部品点数の増加につながり易いという新たな問題点を有するものであった。
【特許文献１】特開昭５９−５６６３８号公報
【特許文献２】特開平６−３０２９３号公報
【発明の開示】
【発明が解決しようとする課題】
【０００６】
本発明は、上記背景技術に鑑みて発明されたものであり、その課題は、床材分離型の床暖房装置の配線構造において、配線コードを床下（根太下）に引き出すことなく、簡便に配置、接続し得る床暖房装置の配線構造及びこれに使用可能な床暖房パネルを提供することにある。
【課題を解決するための手段】
【０００７】
上記課題を解決するために、請求項１に係る発明の床暖房装置の配線構造にあっては、床暖房パネルと、電力を供給する配線と、前記床暖房パネルの端縁部に形成したスイッチボックス部と、前記スイッチボックス部に臨んで配置される周辺パネルとを有し、複数の前記床暖房パネルを並列配置するとともに、同床暖房パネルを前記スイッチボックス部を介して前記配線に並列接続した床暖房装置の配線構造において、前記配線が、前記スイッチボックス部を形成した前記端縁部と、前記周辺パネルとによって挟持されることを特徴とするものである。
【０００８】
請求項２に係る発明の床暖房装置の配線構造にあっては、請求項１記載の床暖房装置の配線構造において、前記配線が、並列配置された前記床暖房パネル間に挟持されることを特徴とするものである。
【０００９】
請求項３に係る発明の床暖房装置の配線構造にあっては、請求項１または請求項２記載の床暖房装置の配線構造において、前記スイッチボックス部が、前記端縁部に形成した凹部と、該凹部内に前記配線を接続し得る床暖房パネル側接続端子を備え、前記配線の屈曲部を前記凹部内に収容し得ることを特徴とするものである。
【００１０】
請求項４に係る発明の床暖房パネルにあっては、端縁部にスイッチボックス部を備え、該スイッチボックス部を介して電力を供給する配線に接続し得る床暖房パネルであって、前記スイッチボックス部が、前記端縁部に形成した凹部と、該凹部内に前記配線を接続し得る床暖房パネル側接続端子を具備し、前記配線の屈曲部を前記凹部内に収容し得ることを特徴とするものである。
【発明の効果】
【００１１】
本発明の床暖房装置の配線構造では、床暖房パネルと、電力を供給する配線と、前記床暖房パネルの端縁部に形成したスイッチボックス部と、前記スイッチボックス部に臨んで配置される周辺パネルとを有し、複数の前記床暖房パネルを並列配置するとともに、同床暖房パネルを前記スイッチボックス部を介して前記配線に並列接続した床暖房装置の配線構造において、前記配線が、前記スイッチボックス部を形成した前記端縁部と、前記周辺パネルとによって挟持されるので、上記配線を床下（根太下）に引き出すことなく、簡便にパネル（床暖房パネル、周辺パネル等）の配置、前記配線の接続が可能となり、施工の省力化にも寄与し得ることとなる。
【００１２】
また、本発明の床暖房パネルでは、端縁部にスイッチボックス部を備え、該スイッチボックス部を介して電力を供給する配線に接続し得る床暖房パネルであって、前記スイッチボックス部が、前記端縁部に形成した凹部と、該凹部内に前記配線を接続し得る床暖房パネル側接続端子を具備し、前記配線の屈曲部を前記凹部内に収容し得るものであるので、例えば、前記配線を、床暖房パネルと周辺パネルとによって挟持しても、挟持される部分での配線の屈曲等に起因する応力等の影響を効果的に排除でき、無理なく、簡便にパネル（床暖房パネル、周辺パネル等）の配置、前記配線の接続が可能となる。
【発明を実施するための最良の形態】
【００１３】
以下、本発明の実施形態を図面に基づき説明する。なお、本発明の床暖房装置の配線構造は、下記の実施形態にのみ限定されるものではなく、本発明の要旨を逸脱しない範囲内において種々変更を加え得ることは勿論である。
【００１４】
［第１の実施形態］
図１は、本発明の第１の実施形態である床暖房装置の配線構造Ａの構成の概略を模式的に示す上面図である。一方、図２は、本発明の床暖房装置の配線構造における床暖房パネル１の要部の構成を概略的に例示するもので、（ａ）は、上面図、（ｂ）は、（ａ）のＸ‐Ｘ’における縦断面図である。
【００１５】
すなわち、本実施形態の床暖房装置の配線構造Ａは、図１に示すように、床暖房パネル１と、電力を供給する配線２と、床暖房パネル１の端縁部３に形成したスイッチボックス部４と、スイッチボックス部４に臨んで配置される周辺パネル〔捨て張り合板〕５とを有し、複数の床暖房パネル１を並列配置するとともに、この床暖房パネル１をスイッチボックス部４を介して配線２に並列接続した床暖房装置の配線構造である。ここで、周辺パネル〔捨て張り合板〕５は、主として、床面に段差ができないように床暖房パネル１の周辺部分の高さ合わせの役割を担うものである。また、床暖房パネル１は通常、根太９に接着剤やネジ止めなどで固定される。
【００１６】
さらに、本実施形態の床暖房装置の配線構造Ａでは、配線２が、前記スイッチボックス部４を形成した前記端縁部３と、周辺パネル５とによって挟持されるものである。
【００１７】
具体的には、配線２としては、■ＶＦケーブル２ａ等が好適に使用可能である。例えば
、本実施形態では、配線２として、■ＶＦケーブル（φ２：二心）２ａを使用するが、こ
の場合、ケーブルの外径は１０ｍｍ×６ｍｍ程度となる。したがって、本実施形態では、図２（ｂ）に示すように、床暖房パネル１と周辺パネル５との間に幅約６ｍｍ程度の隙間１０をあけると配線可能となる。また、床暖房パネル１、及び周辺パネル５の厚み（Ｔ）は、約１２ｍｍ程度あれば足りることとなる。さらに、配線２（ここでは、■ＶＦケーブ
ル２ａ）を、床暖房パネル１、周辺パネル５に形成した貫通穴１１（床暖房パネル１の貫通穴１１ａ、及び周辺パネル５の貫通穴１１ｂ）とＰＰバンド１２等により隙間１０内に固定し得ることとなる。
【００１８】
このように、本実施形態の床暖房装置の配線構造Ａでは、配線２（本実施形態では、■
ＶＦケーブル２ａ）を、根太９の下を通さないので、電気工事において、床下での作業が不要で、床暖房パネル１、周辺パネル５について、配線２を挟持するための隙間１０を空けて施工した後で、電気接続工事が可能となる。さらに、配線２が動かないようにするために根太９等の造営材への固定が不要なので、床下での作業を低減し得る。また、上から配線２が見えるので、仕上げ材施工時に配線２を傷つけないという利点も大きい。
【００１９】
すなわち、配線２を床下（根太９の下）に引き出すことなく、簡便にパネル（床暖房パネル１、周辺パネル５等）の配置、或いは、配線２の接続が可能となり、施工の省力化にも寄与し得ることとなる。
【００２０】
また、本実施形態の床暖房装置の配線構造Ａでは、スイッチボックス部４が、端縁部３に形成した凹部６と、この凹部６内に配線２を接続し得る床暖房パネル側接続端子７を備え、配線２の屈曲部８を凹部６内に収容し得るものである。
【００２１】
この結果、例えば、配線２を、床暖房パネル１と周辺パネル５とによって挟持しても、配線２の挟持される部分での屈曲等に起因する応力等の影響を効果的に排除でき、無理なく、簡便にパネル（床暖房パネル１、周辺パネル５等）の配置、及び、配線２の接続が可能となる。
【００２２】
一方、本発明の床暖房パネル１は、端縁部３にスイッチボックス部４を備え、このスイッチボックス部４を介して電力を供給する配線２に接続し得る床暖房パネルであり、スイッチボックス部４が、端縁部３に形成した凹部６と、この凹部６内に配線２を接続し得る床暖房パネル側接続端子７を具備し、配線２の屈曲部８を凹部６内に収容し得るものであるので、例えば、配線２を床暖房パネル１と周辺パネル５とによって挟持しても、配線２の挟持される部分での屈曲等に起因する応力等の影響を効果的に排除でき、無理なく、簡便にパネル（床暖房パネル１、周辺パネル５等）の配置、前記配線の接続が可能となる。
【００２３】
［第２の実施形態］
図３は、本発明の第２の実施形態である床暖房装置の配線構造Ｂの構成の概略を模式的に示す上面図である。すなわち、本実施形態の床暖房装置の配線構造Ｂは、図３に示すように、床暖房パネル１と、電力を供給する配線２と、床暖房パネル１の端縁部３に形成したスイッチボックス部４と、スイッチボックス部４に臨んで配置される周辺パネル５とを有し、複数の床暖房パネル１を並列配置するとともに、この床暖房パネル１をスイッチボックス部４を介して配線２に並列接続した床暖房装置の配線構造である。さらに、本実施形態の床暖房装置の配線構造Ｂは、配線２が、前記スイッチボックス部４を形成した前記端縁部３と、周辺パネル５とによって挟持される点においては、上記実施形態の床暖房装置の配線構造Ａと同様である。
【００２４】
これに加えて、本実施形態の床暖房装置の配線構造Ｂでは、配線２が、並列配置された（二枚の）床暖房パネル１の間に挟持されるものである。本実施形態においても、配線２としては、上記実施形態の床暖房装置の配線構造Ａと同様に■ＶＦケーブル２ａ等が好適
に使用可能である。この場合、根太９の幅が通常４５ｍｍ程度であることを考慮すると、根太９に配置した二枚の床暖房パネル１の間に配線２（ここでは、■ＶＦケーブル２ａ）
を挟持するための幅約６ｍｍ程度の隙間１３を設けても、片側約１９．５ｍｍ程度の床暖房パネル１の固定しろ（ｄ１、ｄ２）が確保できることとなり、床暖房パネル１の固定が可能となるというものである。
【００２５】
このように、本実施形態の床暖房装置の配線構造Ｂでは、上記実施形態の床暖房装置の配線構造Ａの場合と同様に、電気工事において、床下での作業が不要であることに加えて、床暖房パネル１、周辺パネル５について、配線２を挟持するための隙間１３（及び隙間１０）を空けて施工した後で、電気接続工事が可能となる。
【図面の簡単な説明】
【００２６】
【図１】本発明の第１の実施形態である床暖房装置の配線構造Ａの構成の概略を模式的に示す上面図である。
【図２】本発明の床暖房装置の配線構造における床暖房パネル１の要部の構成を概略的に例示するもので、（ａ）は、上面図、（ｂ）は、（ａ）のＸ‐Ｘ’における縦断面図である。
【図３】本発明の第２の実施形態である床暖房装置の配線構造Ｂの構成の概略を模式的に示す上面図である。
【図４】従来例に係る床暖房装置の配線構造の構成の概略を模式的に示す上面図である。
【図５】上記と異なる従来例に係る床暖房装置の配線構造の構成の概略を模式的に示す上面図である。
【符号の説明】
【００２７】
１      床暖房パネル
２      配線
２ａ    ■ＶＦケーブル
３      端縁部（床暖房パネル１）
４      スイッチボックス部（床暖房パネル１）
５      周辺パネル〔捨て張り合板〕
６      凹部（スイッチボックス部４）
７      床暖房パネル側接続端子（スイッチボックス部４）
８      屈曲部（配線２）
９      根太
１０      隙間
１１      貫通穴
１１ａ    貫通穴（床暖房パネル１）
１１ｂ    貫通穴（周辺パネル５）
１２      ＰＰバンド
１３      隙間
１４      電線（■ＶＦケーブル２ａ）
Ａ        床暖房装置の配線構造
Ｂ        床暖房装置の配線構造
【図１】
2006118746.tif 000003
【図２】
2006118746.tif 000004
【図３】
2006118746.tif 000005
【図４】
2006118746.tif 000006
【図５】
2006118746.tif 000007